(57)【要約】【課題】  床暖房パネルの設置施工時の釘等の固定具の打ち込みによっても真空断熱材の断熱性能の低下を極力回避できる床暖房パネルを提供する。【解決手段】  ガスバリア性を有する包装材４と包装材４内に真空状態で封入した芯材５を備えて、芯材５を内部に備えた真空断熱部６が多数並設されると共にこれら多数の真空断熱部６が包装材４の各真空断熱部６の外周をシールするシール部７で一連に接続されたシート状の真空断熱材３を形成する。この真空断熱材３を床加熱部８が埋設されたパネル本体２の下面部に配設する。【選択図】        図１
2007057213.tif 000002
【特許請求の範囲】
【請求項１】
ガスバリア性を有する包装材と包装材内に真空状態で封入した芯材を備えて、芯材を内部に備えた真空断熱部が多数並設されると共にこれら多数の真空断熱部が包装材の各真空断熱部の外周をシールするシール部で一連に接続されたシート状の真空断熱材を形成し、この真空断熱材を床加熱部が埋設されたパネル本体の下面部に配設したことを特徴とする床暖房パネル。
【請求項２】
パネル本体の下面部に形成した加熱部収納用溝部内に真空断熱材のシール部を溝内面に沿わせて挿入し、上記シール部を間に介在させた状態で加熱部収納用溝部内に床加熱部を収納したことを特徴とする請求項１記載の床暖房パネル。
【請求項３】
パネル本体の下面部の両側部分に端部脚部を形成すると共に、上記端部脚部を残してパネル本体の下面部に断熱材収納用凹所を上方に凹設し、断熱材収納用凹所の略中央部分にその下面を端部脚部の下面と面一にした別体の中央脚部を配設し、中央脚部と断熱材収納用凹所との間にシール部を挟持させて断熱材収納用凹所内に真空断熱材を配設したことを特徴とする請求項１記載の床暖房パネル。
【請求項４】
パネル本体の下面部における両側部分及び略中央部分にそれぞれ端部脚部及び中央脚部を形成すると共に、上記端部脚部及び中央脚部を残してパネル本体の下面部に断熱材収納用凹所を上方に凹設し、中央脚部にシール部を跨がせて断熱材収納用凹所内に真空断熱材を配設したことを特徴とする請求項１記載の床暖房パネル。
【発明の詳細な説明】
【技術分野】
【０００１】
本発明は、床暖房パネルに関するものである。
【背景技術】
【０００２】
従来から、床暖房パネル１には図７のようなものが知られている（たとえば特許文献１参照）。この床暖房パネル１は、溝１６を形成した上層の板材１７と下層の板材１８との間に断熱材１９を介装し、上層の板材１７の上に仕上材２０を積層して配設し、上層の板材１７の溝１６内に温水パイプで構成した床加熱部８を位置させて床加熱部８を仕上材２０と断熱材１９との間に配設して構成されたものである。
【０００３】
ここで、断熱材１９としてはたとえばグラスウールやロックウールや硬質ウレタンフォーム等が使用されるのであるが、このような断熱材１９は床加熱部８での発熱を床下へ逃がさないように所定の断熱性能を備えるためには厚い厚み寸法を必要とするものであって、床暖房パネル１の厚み寸法は床暖房を備えない通常の床パネルと比較にならない程に厚くなってしまうものである。このように床暖房パネル１は通常の床パネルに比べて厚みを有することから、通常の床から床暖房に変更するようなリフォームをする場合には、リフォーム後にはリフォーム前には無かった段差が床に生じてしまったり、天井高さが低くなってしまったりして、施工主の満足感を充足できない事態がしばしば生じている。
【０００４】
ところで、近年の冷蔵庫等の冷熱機器の分野では、従来のグラスウールやロックウールや硬質ウレタンフォームに比べて断熱性能が格段に高い真空断熱材がしばしば用いられている（たとえば特許文献２参照）。なお、真空断熱材は芯材がガスバリアー性を有する包装材で覆われて真空封入された真空断熱部を備えて形成されたものであり、真空断熱部の真空状態が破られると断熱性能が略無力化される恐れのあるものである。
【０００５】
ここで、本発明者は、上記真空断熱材を床暖房パネル１の断熱材に使用し、その結果、通常の床パネルと略変わらない厚み寸法を備えることのできる床暖房パネル１を想起するに至ったが、暖房床パネルを設置位置に配設する際にはしばしば釘等の固定具を暖房床パネルを介して設置位置に打ち込んで固定するのであって、この打ち込んだ固定具によると暖房床パネルの真空断熱材の真空断熱部を貫いて真空断熱部の真空状態を破って真空断熱材の断熱性能を略無力化してしまう恐れが高く、つまり真空断熱材の断熱性能の低下を回避しなければならないといった新たな課題に直面することになった。
【特許文献１】特開２００１−３２３６４８号公報
【特許文献１】実開昭６２−１４１１８５号公報
【発明の開示】
【発明が解決しようとする課題】
【０００６】
本発明は上記の従来の問題点に鑑みて為したものであって、床暖房パネルの設置施工時の釘等の固定具の打ち込みによっても真空断熱材の断熱性能の低下を極力回避できる床暖房パネルを提供することを課題とするものである。
【課題を解決するための手段】
【０００７】
上記課題を解決するために本発明の請求項１に係る床暖房パネルは、ガスバリア性を有する包装材４と包装材４内に真空状態で封入した芯材５を備えて、芯材５を内部に備えた真空断熱部６が多数並設されると共にこれら多数の真空断熱部６が包装材４の各真空断熱部６の外周をシールするシール部７で一連に接続されたシート状の真空断熱材３を形成し、この真空断熱材３を床加熱部８が埋設されたパネル本体２の下面部に配設したことを特徴とする。これによると、床暖房パネル１を設置位置に固定する際に打ち込まれる釘等の固定具によって、たとえ複数あるうちの一の真空断熱部６が貫かれてこの真空断熱部６における断熱性能が無力化されても、この真空断熱部６以外の複数の真空断熱部６における断熱性能は変わらず発揮できて、真空断熱材３が付与する床暖房パネル１の断熱性能の低下を極力小さくすることができるのであり、つまり床暖房パネル１の設置施工時の釘等の固定具の打ち込みによっても真空断熱材３、ひいては床暖房パネル１の断熱性能の低下を極力回避できるのである。無論、床暖房パネル１の断熱材に従来のグラスウールやロックウールや硬質ウレタンフォームに比べて断熱性能が格段に優れた真空断熱材３を用いたために、所定の断熱性能を得るのに断熱材の厚みを格段に抑制でき、通常の床パネルと変わらないほどに床暖房パネル１の厚み寸法を抑制できる利点も有している。
【０００８】
また、請求項２に係る床暖房パネルは、請求項１において、パネル本体２の下面部に形成した加熱部収納用溝部９内に真空断熱材３のシール部７を溝内面に沿わせて挿入し、上記シール部７を間に介在させた状態で加熱部収納用溝部９内に床加熱部８を収納したことを特徴とする。これによると、真空断熱材３の断熱性能の無いシール部７を屈曲させて加熱部収納用溝部９の溝内面に沿わせて挿入したことで、このシール部７の両側の真空断熱部６同士を近接させることができ、つまりパネル本体２の下面の真空断熱部６で覆われる部位を広くできて床暖房パネル１の断熱性能を向上できる。また、真空断熱材３のシール部７を間に介在させた状態で加熱部収納用溝部９内に床加熱部８を収納したので、真空断熱材３のシール部７のパネル本体２から下方への撓みも無くしてシール部７が引っ掛かる等の不具合を防止できたり、パネル本体２への真空断熱材３の配設強度も高めることができる。
【０００９】
また、請求項３に係る床暖房パネルは、請求項１において、パネル本体２の下面部の両側部分に端部脚部１１を形成すると共に、上記端部脚部１１を残してパネル本体２の下面部に断熱材収納用凹所１０を上方に凹設し、断熱材収納用凹所１０の略中央部分にその下面を端部脚部１１の下面と面一にした別体の中央脚部１２を配設し、中央脚部１２と断熱材収納用凹所１０との間にシール部７を挟持させて断熱材収納用凹所１０内に真空断熱材３を配設したことを特徴とする。これによると、床暖房パネル１の自重や負荷された荷重をパネル本体２の両側部分及び中央部分の端部脚部１１及び中央脚部１２によってそれぞれ支えさせ、床暖房パネル１の反り変形の防止や強度の向上を図ることができるのであり、また、中央脚部１２と断熱材収納用凹所１０との間でシール部７を挟持させて断熱材収納用凹所１０内に真空断熱材３を配設したので、真空断熱材３のシール部７のパネル本体２から下方への撓みも無くしてシール部７が引っ掛かる等の不具合を防止できる。
【００１０】
また、請求項４に係る床暖房パネルは、請求項１において、パネル本体２の下面部における両側部分及び略中央部分にそれぞれ端部脚部１１及び中央脚部１２を形成すると共に、上記端部脚部１１及び中央脚部１２を残してパネル本体２の下面部に断熱材収納用凹所１０を上方に凹設し、中央脚部１２にシール部７を跨がせて断熱材収納用凹所１０内に真空断熱材３を配設したことを特徴とする。これによると、床暖房パネル１の自重や負荷された荷重をパネル本体２の両側部分及び中央部分の端部脚部１１及び中央脚部１２によってそれぞれ支えさせ、床暖房パネル１の反り変形の防止や強度の向上を図ることができるのであり、また、中央脚部１２にシール部７を跨がせて断熱材収納用凹所１０内に真空断熱材３を配設したので、中央脚部１２にて分割された断熱材収納用凹所１０にあっても一枚の真空断熱材３を各断熱材収納用凹所１０に亙って配設できる。
【発明の効果】
【００１１】
本発明は、通常の床パネルと略変わらない厚み寸法の床暖房パネルを得るために用いた真空断熱材における、床暖房パネルの設置施工時の釘等の固定具の打ち込みに起因する断熱性能の低下の恐れを極力回避できる、といった利点を有する。
【発明を実施するための最良の形態】
【００１２】
以下、本発明を添付図面に示す実施形態に基いて説明する。図１に示す本例の床暖房パネル１は、床暖房を施す床加熱部８が埋設されたパネル本体２の下面部にシート状の真空断熱材３を配設し一体化することで構成されている。
【００１３】
真空断熱材３は芯材５をガスバリアー性（ガス不透過性）を有する包装材４で覆い真空封入したものである。芯材５としては芯材５自身の熱伝導率が低いものが用いられ、具体的にはシリカやパーライト等の無機質紛体、グラスウール等の無機繊維、連続気泡の発泡ウレタン等の連通フォーム等が用いられる。なお芯材５として粉体を用いる場合はこれら粉体を不織布等の通気性のある袋に充填して使用する。包装材４は熱溶着層、ガスバリア層、保護層を順に積層したガスバリアー性を有する積層フィルムを熱溶着層同士を対向させて二枚重ね合わせて袋状にしたものである。上記熱溶着層は熱溶着性に優れたものであり、ポリエチレン、ポリプロピレン等のポリオレフィン系の樹脂フィルム等からなる。上記ガスバリア層はアルミニウムや銀等からなる金属層を有して該金属層により気体が透過することを不能とするものであり、金属箔、又は金属蒸着を施した層からなる。上記保護層はガスバリア層を保護するものであり、例えばポリエチレンテレフタレート等のポリエステル系フィルムや、ナイロン等のアミド系フィルムのうち少なくとも一種を含むもの等が使用され、該保護層によりガスバリア層に傷等がついて包装材４内部に外気が侵入することを防止し、また包装材４の強度を高めている。なお本例では芯材５としてグラスウールを用い、また包装材４の熱溶着層としてポリエチレンフィルムを、ガスバリア層としてアルミニウム箔を、保護層として外側のポリエチレンテレフタレート層と内側のナイロン層の２層構造のフィルムを用いている。そして上記包装材４内に芯材５を入れて減圧して包装材４内部を真空状態にし、この後、包装材４の芯材５が存在せず熱溶着層同士が直接接触した箇所を熱溶着して封止することで、芯材５の周囲を封止した真空断熱材３が形成される。この真空断熱材３はガスバリア層で外気と遮断することで包装材４内部が１／１０００気圧程度の真空状態とされ、これにより包装材４内部の空気の対流による伝熱が防止される。従ってこのように形成された真空断熱材３は芯材５自体が有する断熱性と合わせて高い断熱性を有したものとなり、一般のグラスウールからなる断熱材に比べて５〜２０倍、硬質ウレタンフォームからなる断熱材の３〜１０倍の断熱性能を有したものとなり、一般の断熱材と比較して厚みを極めて薄くできたものである。本例の床暖房パネル１の断熱材には上述のように高い断熱性能を備えた真空断熱材３を用いているので、所定の断熱性能を得るのにグラスウールやロックウールや硬質ウレタンフォーム等の一般の断熱材に比べてその厚み寸法を格段に薄くできるのであり、しかして、通常の床パネル（たとえば１２ｍｍ厚）と変わらないほどに床暖房パネル１の厚み寸法を抑制できるのである。
【００１４】
ここで、本例の床暖房パネル１で用いる真空断熱材３は、矩形板状の芯材５を所定間隔を介して包装材４内に複数並べ、これら芯材５を包装材４を構成する二枚の積層フィルムで挟んで減圧した後封止することで形成されるものであり、包装材４における芯材５の入っていない部位である隣合う芯材５間の部位及び包装材４の外周部が熱溶着されてシール部７が形成されている。即ち包装材４における各芯材５の周囲を前述の熱溶着部分でシールすることで、一つの芯材５と該芯材５の外面を覆う包装材４の部位とで形成された真空断熱部６（セル）を複数形成して、各芯材５を互いに連通しない独立した空間内に位置させ、これにより例えば包装材４が破れて複数の真空断熱部６のうち一つの真空断熱部６内に外気が侵入したとしても、他の真空断熱部６の真空度が変化することがないようにしている。つまり、床暖房パネル１を設置位置に固定する際には釘等の固定具を床暖房パネル１を介して設置位置に打ち込むことが行われるのであるが、この釘の打ち込みによってたとえ複数あるうちの一の真空断熱部６が貫かれて真空が破られてこの真空断熱部６における断熱性能が無力化されても、この真空断熱部６以外の複数の真空断熱部６における断熱性能は変わらず発揮でき、真空断熱材３が付与する床暖房パネル１の断熱性能の低下を極力小さくすることができるのである。このように、床暖房パネル１の設置施工時の釘等の固定具の打ち込みによっても真空断熱材３、ひいては床暖房パネル１の断熱性能の低下を極力回避できるようにされているのである。なお、この真空断熱材３の各真空断熱部６は芯材５の入っていない包装材４の溶着部分（即ち二重に溶着した積層フィルム）で接続されているので、該溶着部分で真空断熱材３を折り曲げ可能となっており、これにより真空断熱材３を折り曲げてコンパクトにして搬送したり、また曲面に真空断熱材３を沿わせて施工したりできるようになっている。
【００１５】
以下、本例の床暖房パネル１の構造について詳述する。床暖房パネル１のパネル本体２は厚みが１２ｍｍ程の平板状であり、その一側端に凸部１３が設けられると共に対向する他側端に隣接するパネル本体２の凸部１３が嵌合できる凹部１４が形成されており、下面部には上方に凹ませた断熱材収納用凹所１０が形成されると共に、この断熱材収納用凹所１０の天井面から上方に凹ませた加熱部収納用溝部９が形成されている。詳しくは、パネル本体２の下面部の両側部分には設置位置に接地される端部脚部１１が形成されており、断熱材収納用凹所１０は上記端部脚部１１を残してパネル本体２の下面から上方に略４ｍｍの深さの凹所に形成されていて４ｍｍ厚の真空断熱材３を収納可能にさせている。加熱部収納用溝部９は略４ｍｍ×４ｍｍの正方形断面の溝であって、外径略４ｍｍのコードヒータで構成した床加熱部８を収納可能にさせており、この床加熱部８で発生させた熱をパネル本体２の隅々にまでむらなく床暖房を施し得るように、蛇行させたり複数条設けたりしてパネル本体２に隈なく形成されている。
【００１６】
ここで、断熱材収納用凹所１０に収納させた真空断熱材３は、断熱材収納用凹所１０の天井面と真空断熱材３の真空断熱部６の上面とを接着させたり、真空断熱材３のシール部７を断熱材収納用凹所１０の天井面に釘等の固着具の打ち込みなどで、パネル本体２に一体化される。なお、本例では、図１（ｂ）のように、加熱部収納用溝部９内に真空断熱材３のシール部７を溝内面に沿わせて挿入し、上記シール部７を間に介在させた状態で加熱部収納用溝部９内に床加熱部８を収納させている。このように真空断熱材３のシール部７を屈曲させて加熱部収納用溝部９の溝内面に沿わせて挿入したことで、このシール部７の両側の真空断熱部６同士を近接させることができたものであり、パネル本体２の下面のうち真空断熱部６で覆われる部位を広くできて床暖房パネル１の断熱性能が向上されている。詳しくは、本例ではこのシール部７の両側の真空断熱部６同士が床加熱部８の下方位置で突き合わされ、床加熱部８の下方が真空断熱材３で覆われた状態になっており、床加熱部８で発生させた熱をパネル本体２の下方へ逃がすことが回避されて上記熱を効率よく床暖房に利用できるようにしている。更に言うと、上記のように真空断熱材３のシール部７を間に介在させた状態で加熱部収納用溝部９内に床加熱部８を収納したことにより、真空断熱材３のシール部７のパネル本体２から下方への撓みも無くしてシール部７が引っ掛かる等の不具合を防止して床暖房パネル１の配設の施工性の向上が図られたり、パネル本体２への真空断熱材３の配設強度も高められている。
【００１７】
また、本例では、真空断熱材３の端部のシール部７を端部脚部１１の下面に被せるようにしており、パネル本体２の下面全てを真空断熱材３で覆うようにして床暖房パネル１の断熱欠損を小さくする工夫が施されている。また、図示はしないが、真空断熱材３のシール部７を折り畳んで隣接する真空断熱部６同士を突き合わせるように配置し、パネル本体２の下面のうち真空断熱部６で覆われる部位を広くして床暖房パネル１の断熱性能を向上させることも好ましい。また、床加熱部８で発生した熱をパネル本体２の上面の隅々にまで行き渡らせるために、たとえば１００μｍのアルミ箔等で構成される均熱材１５を床加熱部８に接触させた状態でパネル本体２に亙って設けるのも好ましいが、本例では均熱材１５は真空断熱材３の上面に貼着させている。パネル本体２に均熱材１５付きの真空断熱材３を設置するだけで均熱材１５と真空断熱材３とを一気にパネル本体２に設置することができ、別体の均熱材１５を真空断熱材３と別個にパネル本体２に設置するのに比べて、床暖房パネル１の製造性が高められている。
【００１８】
以下、本発明の実施の形態の諸例を列挙する。ここで、便宜上、先例と同様部位は同番号を付して説明を省き、異なる部分のみを説明する。
【００１９】
図２の床暖房パネル１は、シート状の真空断熱材３を平板状に延ばした状態で、平板状の均熱材１５を介在させて断熱材収納用凹所１０に収納してパネル本体２に一体化させている。図１の例のように真空断熱材３のシール部７を床加熱部８の周囲に廻り込ませることを行っておらず、床暖房パネル１の製造性が良好にされている。また、図３の床暖房パネル１は、図１の例のように真空断熱材３のシール部７を床加熱部８の周囲に廻り込ませているが、シール部７の両側の真空断熱部６同士が床加熱部８の下方位置で突き合わされてはいない。図１の例に比べると床加熱部８の下方への熱の逃げ（ロス）は多いが、図２の例よりは床暖房パネル１の下面のうち真空断熱部６で覆われる部位を広くできて床暖房パネル１の断熱性能が向上されている。
【００２０】
また、図４乃至図６の例の各床暖房パネル１は、床暖房パネル１の反り変形を防止したり強度を向上させるべく、パネル本体２の下面部の略中央部分に床暖房パネル１の自重や負荷された荷重を支えるための中央脚部１２を設けたものである。
【００２１】
詳しくは、図４の床暖房パネル１における中央脚部１２はパネル本体２と別体物であり、断熱材収納用凹所１０の中央部分にその下面を端部脚部１１の下面と面一にした状態で配設されている。ここで、断熱材収納用凹所１０内への真空断熱材３の配設は中央脚部１２の上面と断熱材収納用凹所１０の天井面との間にシール部７を上下に挟持させた状態で行われている。床暖房パネル１をスラブのような床下地に設置させる直貼工法の場合には、端部脚部１１及び中央脚部１２の各下面が床下地に接地されるのであり、床暖房パネル１の自重や負荷された荷重をパネル本体２の両側部分及び中央部分の端部脚部１１及び中央脚部１２を介して床下地にそれぞれ支えさせることができて、床暖房パネル１の反り変形が防止されると共に強度が向上されるのである。なお、床下地に脚部材を立設して脚部材にて床暖房パネル１を支持するといった二重床工法の場合も、床暖房パネル１の自重や負荷された荷重をパネル本体２の両側部分及び中央部分の端部脚部１１及び中央脚部１２で支えることができ、床暖房パネル１の反り変形が防止されると共に強度が向上されるのは言うまでもない。またこの場合、中央脚部１２や端部脚部１１が床暖房パネル１の対向する両端部間に亙るような長尺桟状であれば、床暖房パネル１の反り変形の防止効果や強度の向上効果を有効に得ることができるのは言うまでもない。また、中央脚部１２と断熱材収納用凹所１０との間でシール部７を挟持させて断熱材収納用凹所１０内に真空断熱材３を配設したので、真空断熱材３のシール部７のパネル本体２から下方への撓みも無くしてシール部７が引っ掛かる等の不具合を防止して床暖房パネル１の配設の施工性を向上できる利点も備えることができる。また、中央脚部１２をパネル本体２に釘打ちで固定する場合も、シール部７に釘が打ち込まれるから真空断熱部６には影響が無く、真空断熱材３の断熱性能の低下を回避することができるのは言うまでもない。
【００２２】
また、図５の床暖房パネル１では、パネル本体２と別体の中央脚部１２を、パネル本体２の略中央部分に位置する加熱部収納用溝部９（本例では２ヵ所の加熱部収納用溝部９）に跨せるように配設している。この場合、加熱部収納用溝部９に収納した床加熱部８の下方を中央脚部１２で塞ぐことになるため、床加熱部８のパネル本体２の下方への熱の逃げ（ロス）を減らすことができ、床暖房パネル１の断熱性能を向上できる。
【００２３】
また、図６の床暖房パネル１では、中央脚部１２はパネル本体２と一体に形成されており、断熱材収納用凹所１０は上記端部脚部１１及び中央脚部１２を残してパネル本体２の下面部を上方に凹没させて形成されている。そして、断熱材収納用凹所１０内への真空断熱材３の配設はシール部７を中央脚部１２の下面に被せるようにして中央脚部１２を跨がせた状態で行われている。つまり、中央脚部１２にて分割された断熱材収納用凹所１０にあっても一枚の真空断熱材３を断熱材収納用凹所１０に亙って配設することが可能にされていると共に、パネル本体２の下面全てを真空断熱材３で覆うようにして床暖房パネル１の断熱欠損を小さくする工夫が施されているのである。
【００２４】
なお、上記の実施形態では床加熱部８を通電させて発熱させるコードヒータで構成させているが、たとえば内部に温水を流す温水パイプで構成してもよいのは言うまでもない。
【図面の簡単な説明】
【００２５】
【図１】本発明の実施の形態の例であり、（ａ）は床暖房パネルの側断面図であり、（ｂ）は（ａ）のＡ部分の拡大図である。
【図２】同上の実施の形態の他例の床暖房パネルの側断面図である。
【図３】同上の実施の形態の更に他例の床暖房パネルの側断面図である。
【図４】同上の実施の形態の更に他例の床暖房パネルの側断面図である。
【図５】同上の実施の形態の更に他例の床暖房パネルの側断面図である。
【図６】同上の実施の形態の更に他例の床暖房パネルの側断面図である。
【図７】従来技術の例の床暖房パネルの側断面図である。
【符号の説明】
【００２６】
１  床暖房パネル
２  パネル本体
３  真空断熱材
４  包装材
５  芯材
６  真空断熱部
７  シール部
８  床加熱部
９  加熱部収納用溝部
１０  断熱材収納用凹所
１１  端部脚部
１２  中央脚部
１５  均熱材
【図１】
2007057213.tif 000003
【図２】
2007057213.tif 000004
【図３】
2007057213.tif 000005
【図４】
2007057213.tif 000006
【図５】
2007057213.tif 000007
【図６】
2007057213.tif 000008
【図７】
2007057213.tif 000009